(57)【特許請求の範囲】
【請求項１】
間仕切装置におけるガラスパネルの縁部を覆う縁部保護材を、前記ガラスパネルの縁部に取り付けるための取付構造であって、
縁部保護材を、表片と裏片との一方の端部同士を結合した断面がほぼコ字形をなすとともに、前記裏片のみに係止孔が穿設されたものとし、前記表片と裏片との間に前記ガラスパネルの縁部を挿入し、ガラスパネルにおける前記係止孔と整合する箇所に通孔を穿設して、前記通孔と係止孔とに、係止部材における基片より突設した円柱形の係合部を挿入するとともに、前記裏片に、前記係止部材の基片の両側端に係合することにより、前記円柱形の係合部が、係止孔及び通孔から抜け出すのを阻止する１対の係止爪を設けたことを特徴とする間仕切装置におけるガラスパネルへの縁部保護材の取付構造。
【請求項２】
縁部保護材の表片と裏片とが、ガラスパネルを挾持する方向に弾性付勢されていることを特徴とする請求項１記載の間仕切装置におけるガラスパネルへの縁部保護材の取付構造。
【発明の詳細な説明】
【０００１】
【発明の属する技術分野】
本発明は、間仕切装置におけるガラスパネルの縁部を覆う縁部保護材を、ガラスパネルの縁部に取り付けるための取付構造に関する。
【０００２】
【従来の技術】
室内を複数のパネルをもって仕切る間仕切装置には、左右１対の支柱の前後両面に、ガラスパネルを取り付けたものがある。
ガラスパネルを支柱に取り付けるには、ガラスパネルの裏面に係止片を取り付け、この係止片を、支柱に穿設された係止孔に係合するのが一般的である。
【０００３】
しかし、ガラスパネルの裏面に係止片を直接取り付けることは難しく、また、ガラスパネルが直接支柱に接触すると、ガラスパネルに傷がついてしまうので、通常は、ガラスパネルの縁部を金属や合成樹脂等からなる縁部保護材で覆い、この縁部保護材に係止片を取り付け、この係止片を支柱の係止孔に係合している。
【０００４】
【発明が解決しようとする課題】
縁部保護材をガラスパネルの縁部に取り付ける従来技術としては、縁部保護材をガラスパネルにねじ止めしたり、縁部保護材の縁部をガラスパネルにかしめる等の方法がある。
【０００５】
しかし、上記のように、ねじ止めやかしめにより、縁部保護材をガラスパネルへ取り付ける場合は、取付作業が面倒であるとともに、縁部保護材をガラスパネルから取り外す作業も面倒になる。
【０００６】
本発明は、上述のような問題点を解決するためになされたもので、縁部保護材をガラスパネルの縁部に容易に着脱しうるようにした、間仕切装置におけるガラスパネルへの縁部保護材の取付構造を提供することを目的としている。
【０００７】
【課題を解決するための手段】
本発明によると、上記課題は、次のようにして解決される。
(１)  間仕切装置におけるガラスパネルの縁部を覆う縁部保護材を、前記ガラスパネルの縁部に取り付けるための取付構造であって、
縁部保護材を、表片と裏片との一方の端部同士を結合した断面がほぼコ字形をなすとともに、前記裏片のみに係止孔が穿設されたものとし、前記表片と裏片との間に前記ガラスパネルの縁部を挿入し、ガラスパネルにおける前記係止孔と整合する箇所に通孔を穿設して、前記通孔と係止孔とに、係止部材における基片より突設した円柱形の係合部を挿入するとともに、前記裏片に、前記係止部材の基片の両側端に係合することにより、前記円柱形の係合部が、係止孔及び通孔から抜け出すのを阻止する１対の係止爪を設ける。
【０００８】
(２)  上記(１)項において、縁部保護材の表片と裏片とが、ガラスパネルを挾持する方向に弾性付勢されるようにする。
【０００９】
【発明の実施の形態】
以下、本発明の一実施形態を備える間仕切装置について、添付図面を参照しながら説明する。
なお、以下の説明中においては、図１の紙面の手前側を「前方」、紙面の裏側を「後方」と定義する。
【００１０】
図１に示すように、間仕切装置(１)の構造部材である方形枠状のフレーム(２)は、左右１対の金属製の支柱(３)(３)の上下２箇所を、左右方向を向く金属製の横杆(４)(４)で結合したものである。
支柱(３)の前後両面には、後述するガラスパネル(Ｇ)、パネル(Ｐ)、幅木(Ｈ)の裏面に突設された係止金具(22)（後述）を係合するための係止孔(５)が、上下方向に並べて穿設されている。
【００１１】
次に、両支柱(３)(３)の前後両面に取り付けられるガラスパネル(Ｇ)と、その側縁部に取り付けられる縁部保護材等について、図２〜図５を参照しながら詳細に説明する。
【００１２】
ガラスパネル(Ｇ)は、横長長方形状をなすガラス板であり、その左右両側部の上下３箇所には円形の通孔(６)が穿設されている。
【００１３】
ガラスパネル(Ｇ)の左右の側縁部に、この側縁部を覆うようにして取り付けられる合成樹脂製の縁部保護材(７)は、ガラスパネル(Ｇ)の高さとほぼ同じ長さのものであり、互いに平行をなして向かい合う表片(８)と裏片(９)の外側の端部同士を結合した、平面視ほぼコ字形のものである。
【００１４】
縁部保護材(７)は、ガラスパネル(Ｇ)に取り付けられる前の状態においては、表片(８)と裏片(９)の開口端部同士が殆ど閉じているが、表片(８)と裏片(９)とを拡開することにより、表片(８)と裏片(９)との間には、ガラスパネル(Ｇ)の板厚とほぼ同じ前後幅の中空部(10)が形成される。
【００１５】
裏片(９)の外端部には、支柱(３)側に向かって膨出する膨出部(11)が形成されており、裏片(９)における内端部には、ガラスパネル(Ｇ)を支柱(３)に取り付けた際に支柱(３)の側面に当接する当接片(12)が、支柱(３)側に向けて突設されている。
裏片(９)における当接片(12)と膨出部(11)との間には、膨出部(11)と同じ長さだけ支柱(３)側に突出するリブ(13)と、リブ(13)よりも若干短い距離だけ支柱(３)側に突出する係止突条(14)とが設けられ、係止突条(14)と膨出部(11)とにおける互いに向かい合う側面には、抜け止め部として、係止爪(15)(15)が設けられている。
【００１６】
裏片(９)における左右の係止爪(15)(15)の間の上下３箇所には、通孔(６)と同寸同形の係止孔(16)が穿設されており、膨出部(11)における支柱(３)側の面の上端部と下端部とには、後述する係止金具(22)を取り付けるための正方形をなす取付孔(17)が穿設されている。
【００１７】
表片(８)と裏片(９)の開口端部同士を、互いに遠ざかる方向に弾性変形させた後、ガラスパネル(Ｇ)の側縁部を中空部(10)に嵌合し、ガラスパネル(Ｇ)の側端部を、中空部(10)の奥端部に形成された係合溝(10a)に嵌合するとともに、表片(８)と裏片(９)とを互いに近づく方向に弾性復帰させると、表片(８)と裏片(９)の内面がガラスパネル(Ｇ)の前後面に圧接して、通孔(６)と係止孔(16)とが整合するようになる。
【００１８】
長方形状の基片(18)における縁部保護材(７)側の面に、円柱形の係合部(19)が突設され、基片(18)における支柱(３)側の面に、基片(18)よりも横幅の狭いつまみ部(20)が突設された係止部材(21)の係合部(19)を、通孔(６)と係止孔(16)とに嵌合し、基片(18)の左右の端部を係止爪(15)(15)と裏片(９)との間に嵌合して、係合部(19)が通孔(６)と係止孔(16)から抜け出さないようにすることにより、縁部保護材(７)のガラスパネル(Ｇ)の側部への取付作業が完了する。
【００１９】
金属片を折り曲げて形成された係止金具(22)は、長方形状の基片(23)の左右両端部に、ガラスパネル(Ｇ)側を向くとともに、下縁部が階段状に成形された、外向きに拡開する係止片(24)(24)が連設され、両係止片(24)(24)の端部に外向きの係止爪(25)(25)が形成されるとともに、係止片(24)における縁部保護材(７)側の縁部に、裏片(９)と平行をなす係合段部(26)が形成されたものである。
【００２０】
両係止片(24)を、互いに近づく方向に弾性変形させながら取付孔(17)に挿入し、膨出部(11)の内部において両係止片(24)(24)を外向きに弾性復帰させて、両係止片(24)(24)を取付孔(17)の両側面に圧接し、係止爪(25)(25)を取付孔(17)の裏面の側縁部に係合するとともに、係合段部(26)(26)を裏片(９)の表面に当接することにより、係止金具(22)は上下の取付孔(17)に取り付けられる。
【００２１】
以上のような２枚のガラスパネル(Ｇ)(Ｇ)は、上下の係止金具(22)を支柱(３)の係止孔(５)に係合することにより、フレーム(２)の前後両面における上下方向の上部と中央部とに、上下に並べて取り付けられる。
【００２２】
下側のガラスパネル(Ｇ)の下方には、通常のパネル(Ｐ)と幅木(Ｈ)とが、その裏面に突設された係止金具（図示略）を支柱(３)の係止孔(５)に係合することにより、フレーム(２)の前後両面の下部に取り付けられる。
(27)は、フレーム(２)の上面を覆う上部カバーであり、(28)は、フレーム(２)の両側部を覆う側部カバーである。
【００２３】
以上のように本実施形態によれば、ガラスパネル(Ｇ)の側縁部に、縁部保護材(７)を簡単かつ確実に取り付けることができるとともに、係止部材(20)を通孔(６)及び係止孔(16)から取り出すことにより、縁部保護材(７)をガラスパネル(Ｇ)から簡単に取り外すことができる。
なお、ガラスパネル(Ｇ)の側縁部に縁部保護材(７)を被せると、ガラスパネル(Ｇ)の端部が係合溝(10a)に嵌合するので、ガラスパネル(Ｇ)の端部が膨出部(11)の空間部側に抜け出すことはない。
【００２４】
また、縁部保護材(７)の膨出部(11)の内部に隙間を形成し、この隙間を利用して係止金具(22)を膨出部(11)の取付孔(17)に係合しているので、係止金具(22)を縁部保護材(７)に簡単かつ確実に取り付けることができる。
【００２５】
本実施形態では、ガラスパネル(Ｇ)の側縁部のみを縁部保護材(７)で覆っているが、ガラスパネル(Ｇ)の上縁部と下縁部とを、図示を省略した、縁部保護材(７)と同様の断面形状をなす横向きの縁部保護材で覆うこともある。
【００２６】
【発明の効果】
本発明によれば、次のような効果を奏することができる。
(ａ)  請求項１記載の発明によれば、ガラスパネルの縁部に、縁部保護材を取り付け、係止部材における円柱形の係合部を、縁部保護材に設けた係止孔と、ガラスパネルに設けた通孔とに嵌合することにより、縁部保護材をガラスパネルの縁部に簡単かつ確実に取り付けることができるとともに、係止部材における係合部を通孔及び係止孔から取り出すことにより、縁部保護材をガラスパネルから簡単に取り外すことができる。
【００２７】
(ｂ)  また、抜け止め部を１対の係止爪からなるものとしたことにより、簡単な構造により、係止部材を確実に抜け止めすることができる。
【００２８】
(ｃ)  請求項２記載の発明によれば、縁部保護材の表片と裏片とが、ガラスパネルを挾持するので、縁部保護材のガラスパネルに対するがたつきを確実に防止できる。
【図面の簡単な説明】
【図１】本発明の一実施形態を備える間仕切装置の正面図である。
【図２】同じくガラスパネルとその周辺部材の裏面を示す拡大図である。
【図３】同じく間仕切装置の上端角部の拡大分解斜視図である。
【図４】同じく図２のIV−IV線に沿う拡大横断平面図である。
【図５】同じく図１のＶ−Ｖ線に沿う拡大横断平面図である。
【図６】同じく図５のVI−VI線に沿う拡大縦断側面図である。
【符号の説明】
(１)間仕切装置
(２)フレーム
(３)支柱
(４)横杆
(５)係止孔
(６)通孔
(７)縁部保護材
(８)表片
(９)裏片
(10)中空部
(10a)係合溝
(11)膨出部
(12)当接片
(13)リブ
(14)係止突条
(15)係止爪（抜け止め部）
(16)係止孔
(17)取付孔
(18)基片
(19)係合部
(20)つまみ部
(21)係止部材
(22)係止金具
(23)基片
(24)係止片
(25)係止爪
(26)係合段部
(Ｇ)ガラスパネル
(Ｐ)通常のパネル
(Ｈ)幅木
【図１】
0003579863.tif 000002
【図２】
0003579863.tif 000003
【図３】
0003579863.tif 000004
【図４】
0003579863.tif 000005
【図５】
0003579863.tif 000006
【図６】
0003579863.tif 000007